(57)【要約】【課題】ｋ個のシリーズ番組を記録媒体に迅速にダビングする。【解決手段】番組録画再生装置１０００は、記憶部２０に番組を録画する録画処理を行う録画部１２０を備える。番組録画再生装置１０００は、録画処理がｎ回行われることにより、ｋ個のシリーズ番組が記憶部２０に録画された場合、当該ｋ個のシリーズ番組を記録媒体５にダビングするダビング処理を行う機能を有する。【選択図】図１
2017103572.tif 000002
【特許請求の範囲】
【請求項１】
番組を記憶するための記憶部に当該番組を録画する機能と、記録媒体に当該番組をダビングする機能とを有する番組録画再生装置であって、
前記番組録画再生装置は、
前記記憶部に番組を録画する録画処理を行う録画部を備え、
前記番組録画再生装置は、前記録画処理がｎ（２以上の整数）回行われることにより、一連のｋ（２≦ｋ≦ｎを満たす整数）個のストーリーをそれぞれ示すｋ個の番組であるシリーズ番組が前記記憶部に録画された場合、当該ｋ個のシリーズ番組を前記記録媒体にダビングするダビング処理を行う機能を有する
番組録画再生装置。
【請求項２】
前記ｋ個のストーリーのうちのｋ番目のストーリーは、当該ｋ個のストーリーにおける最後のストーリーであり、
前記録画部は、前記ｋ個のシリーズ番組のうち、前記ｋ番目のストーリーを示すｋ番目のシリーズ番組に関する番組情報に基づいて、前記ダビング処理を行う
請求項１に記載の番組録画再生装置。
【請求項３】
前記番組録画再生装置は、さらに、
前記ｋ個のシリーズ番組の総容量が、前記記録媒体の空き容量より大きい場合、前記ｋ個のシリーズ番組の一部または全部を圧縮する圧縮処理を行う圧縮部を備える
請求項１または２に記載の番組録画再生装置。
【請求項４】
前記録画部は、前記圧縮処理により圧縮されたｕ（１≦ｕ≦ｋを満たす整数）個のシリーズ番組を含む前記ｋ個のシリーズ番組を、前記記録媒体にダビングする前記ダビング処理を行う
請求項３に記載の番組録画再生装置。
【請求項５】
前記録画部が、前記ｋ個のシリーズ番組のうち１番目のシリーズ番組を前記記憶部に録画することがきまった場合、当該録画部は、前記記憶部内に当該ｋ個のシリーズ番組の録画に使用するためのフォルダを生成し、
前記録画部は、生成された前記フォルダに、前記ｋ個のシリーズ番組を、順次、録画する
請求項１から４のいずれか１項に記載の番組録画再生装置。
【発明の詳細な説明】
【技術分野】
【０００１】
本発明は、記憶部に番組を録画する機能と、記録媒体に当該番組をダビングする機能とを有する番組録画再生装置に関する。
【背景技術】
【０００２】
近年、データを記録するための記録媒体の容量は、飛躍的に増加しつつある。当該記録媒体は、例えば、ＢＤ（Blu-ray Disc（登録商標））、ＨＤＤ（Hard Disk Drive）等である。そのため、例えば、ＨＤＤおよびＢＤドライブを内蔵した番組録画再生装置が、番組を録画可能な時間は大幅に増加しつつある。番組録画再生装置は、例えば、液晶テレビジョンである。
【０００３】
なお、本明細書において、番組とは、映像を示す映像コンテンツである。本明細書における映像コンテンツは、一例として、映像および音声の両方を含むデータである。以下においては、一連のｋ（２≦ｋを満たす整数）個のストーリーをそれぞれ示すｋ個の番組の各々を、「シリーズ番組」ともう。シリーズ番組は、定期的に放送される、ドラマ、アニメーション等である。
【０００４】
なお、ＨＤＤに、シリーズ番組を含む複数の番組が録画されている場合、番組録画再生装置が、シリーズ番組をディスク媒体にダビングする処理を行うように、当該番組録画再生装置がユーザーにより操作される機会が増えつつある。ディスク媒体は、例えば、ＢＤである。以下においては、ユーザーが、リモコン等を使用して、番組録画再生装置に対して行う操作を、「操作Ｍ」ともいう。
【０００５】
なお、同一のシリーズ番組の数は、一般的に、１０より多い。そのため、ＨＤＤに録画された、一連のｋ個のシリーズ番組をディスク媒体にダビングする場合、各シリーズ番組を、ユーザーは手動で選択するための操作Ｍを行う必要がある。また、ＨＤＤに、非常に多くの番組が録画されている場合、ユーザーは、所望の各番組を探し出すことが困難である。
【０００６】
さらに、ユーザーによる、所望の各番組の選択の操作が終わっても、選択した各番組の総容量が、ディスク媒体の空き容量より大きい場合、煩わしい作業が発生するという問題がある。当該煩わしい作業は、例えば、番組を圧縮する際の圧縮率を設定するための操作Ｍである。また、当該煩わしい作業は、例えば、選択した各番組のうち、選択の解除の対象となる番組を決定するための操作Ｍである。
【０００７】
特許文献１では、複数の番組を自動的に分類してストレージに録画し、録画された番組を自動的に光ディスク（記録媒体）にダビングする技術（以下、「関連技術Ａ」ともいう）が開示されている。
【０００８】
具合的には、関連技術Ａでは、光ディスクドライブに、番組が録画されている光ディスクが装着されており、かつ、ストレージに番組が録画された場合、以下の処理Ｐｎが行われる。
【０００９】
以下においては、ストレージに録画された最新の番組を、「最新番組」ともいう。また、以下においては、光ディスクに録画されている番組を、「ディスク番組」ともいう。
【００１０】
当該処理Ｐｎでは、最新番組に関する番組情報に基づいて、ディスク番組と最新番組とが、同じシリーズ番組であるか否かが判定される。番組情報は、例えば、番組のタイトル、番組の放送日時等である。ディスク番組と最新番組とが、同じシリーズ番組であると判定された場合、光ディスクに最新番組が自動でダビングされる。
【先行技術文献】
【特許文献】
【００１１】
【特許文献１】特開２０１０−２５１９９１号公報
【発明の概要】
【発明が解決しようとする課題】
【００１２】
近年では、番組録画再生装置に一連のｋ個のシリーズ番組が録画されている状態において、当該ｋ個のシリーズ番組をディスク媒体等の記録媒体にダビングするという要求が増えつつある。
【００１３】
当該要求を満たすために、従来では、ユーザーが、番組録画再生装置に対し、ｋ個のシリーズ番組を記録媒体にダビングするための操作Ｍを行う必要がある。ユーザーによる操作は、数秒、約１０秒等の期間にわたって行われる。そのため、ｋ個のシリーズ番組のダビングを迅速に行うことができないという問題がある。なお、関連技術Ａでは、当該問題を解決することができない。
【００１４】
本発明は、このような問題を解決するためになされたものであり、ｋ個のシリーズ番組を記録媒体に迅速にダビングすることが可能な番組録画再生装置を提供することを目的とする。
【課題を解決するための手段】
【００１５】
上記目的を達成するために、本発明の一態様に係る番組録画再生装置は、番組を記憶するための記憶部に当該番組を録画する機能と、記録媒体に当該番組をダビングする機能とを有する。前記番組録画再生装置は、前記記憶部に番組を録画する録画処理を行う録画部を備え、前記番組録画再生装置は、前記録画処理がｎ（２以上の整数）回行われることにより、一連のｋ（２≦ｋ≦ｎを満たす整数）個のストーリーをそれぞれ示すｋ個の番組であるシリーズ番組が前記記憶部に録画された場合、当該ｋ個のシリーズ番組を前記記録媒体にダビングするダビング処理を行う機能を有する。
【発明の効果】
【００１６】
本発明によれば、前記番組録画再生装置は、前記録画処理がｎ回行われることにより、ｋ個のシリーズ番組が前記記憶部に録画された場合、当該ｋ個のシリーズ番組を前記記録媒体にダビングするダビング処理を行う機能を有する。
【００１７】
これにより、従来のように、ユーザーは、番組録画再生装置に対し、ｋ個のシリーズ番組を記録媒体にダビングするための操作を行う必要はない。したがって、ｋ個のシリーズ番組を記録媒体に迅速にダビングすることができる。
【図面の簡単な説明】
【００１８】
【図１】本発明の実施の形態１に係る番組録画再生装置の構成を示すブロック図である。
【図２】番組情報を説明するための図である。
【図３】録画番組情報テーブルの一例を示す図である。
【図４】特徴的な機能構成を示す番組録画再生装置のブロック図である。
【図５】番組録画再生装置のハードウェア構成図である。
【発明を実施するための形態】
【００１９】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００２０】
＜実施の形態１＞
図１は、本発明の実施の形態１に係る番組録画再生装置１０００の構成を示すブロック図である。番組録画再生装置１０００は、例えば、後述の記憶部２０および媒体アクセス部５０を内蔵したテレビジョン受像機である。
【００２１】
番組録画再生装置１０００は、詳細は後述するが、記憶部２０に番組を録画する機能と、後述の記録媒体５に番組をダビングする機能とを有する。また、番組録画再生装置１０００は、詳細は後述するが、後述のダビング処理を行う機能を有する。
【００２２】
図１を参照して、番組録画再生装置１０００は、アンテナＡＮ１と、チューナＴＮ１と、制御部１００と、表示部ＤＰ１と、音声出力部３０と、記憶部２０と、媒体アクセス部５０とを備える。
【００２３】
制御部１００は、後述の各種処理を行う。制御部１００は、例えば、ＣＰＵ（Central Processing Unit）である。
【００２４】
表示部ＤＰ１は、映像を表示するための装置である。表示部ＤＰ１は、例えば、液晶パネルである。音声出力部３０は、音声を出力するための機器である。音声出力部３０は、例えば、スピーカである。
【００２５】
以下においては、放送局が提供する映像コンテンツ（番組）を、「放送コンテンツ」ともいう。放送局は、放送コンテンツを含むデジタル放送信号を、放送波として、外部へ送信する。
【００２６】
放送コンテンツは、番組詳細情報を含む。具体的には、１つの放送コンテンツは、１つの番組詳細情報を含む。番組詳細情報は、番組である放送コンテンツに関する情報である。番組詳細情報は、例えば、番組のタイトル、番組の放送日、番組のジャンル、番組に対応づけられたチャンネル、番組の説明等を示す。
【００２７】
放送コンテンツが、シリーズ番組である場合、当該放送コンテンツは、シリーズ番組に対応する番組詳細情報を含む。シリーズ番組とは、前述したように、一連のｋ（２≦ｋを満たす整数）個のストーリーをそれぞれ示すｋ個の番組のいずれかである。なお、当該ｋ個のストーリーのうちのｋ番目のストーリーは、当該ｋ個のストーリーにおける最後のストーリーである。
【００２８】
以下においては、一連のｋ個のシリーズ番組のうち、最後のシリーズ番組を、「最終シリーズ番組」ともいう。最終シリーズ番組は、当該一連のｋ個のシリーズ番組のうちのｋ番目のシリーズ番組である。
【００２９】
放送コンテンツが最終シリーズ番組である場合、当該放送コンテンツに含まれる番組詳細情報は、例えば、文字列「最終話」、文字列「最終回」というように、文字列「最終」を示す。以下においては、最終シリーズ番組が示すストーリーを、「最終ストーリー」ともいう。最終ストーリーは、前述した、一連のｋ個のストーリーのうちのｋ番目のストーリーである。
【００３０】
以下においては、番組詳細情報の一部を、「番組情報」ともいう。すなわち、番組情報は、放送コンテンツに含まれる。番組詳細情報から、番組情報を生成する処理は、後述する。
【００３１】
図２は、番組情報を説明するための図である。図２は、一例として、複数のシリーズ番組に対応する番組情報テーブルＴＢ１を示す。
【００３２】
番組情報テーブルＴＢ１は、複数の番組情報から構成される。番組情報テーブルＴＢ１を構成する当該複数の番組情報は、それぞれ、複数のシリーズ番組（放送コンテンツ）に関連付けられている。
【００３３】
番組情報テーブルＴＢ１の行方向に並ぶ複数の情報により、１個の番組情報が構成される。図２の番組情報テーブルＴＢ１は、一例として、１０個の番組情報を示す。
【００３４】
番組情報テーブルＴＢ１において、「番号」とは、番組情報を識別するための番号である。「タイトル」とは、番組のタイトルである。
【００３５】
番組情報テーブルＴＢ１において、「識別子」とは、最終シリーズ番組を特定するための情報である。なお、番組詳細情報に、文字列「最終」が存在する場合、後述の処理により、番組情報の「識別子」の欄に、文字列「最終」が示される。
【００３６】
番組情報テーブルＴＢ１において、「放送日」とは、シリーズ番組が放送される日である。「時刻」とは、シリーズ番組が放送される時刻である。
【００３７】
以下においては、シリーズ番組に該当しない番組を、「番組Ｎ」ともいう。番組Ｎにも、上記と同様な項目を示す番組情報が関連付けられる。なお、番組Ｎに関連付けられる番組情報の「識別子」の欄には、文字列「最終」は示されない。
【００３８】
再び、図１を参照して、チューナＴＮ１には、アンテナＡＮ１が接続されている。チューナＴＮ１は、アンテナＡＮ１を介して、例えば、放送局から送信されるデジタル放送信号を受信する。
【００３９】
チューナＴＮ１は、受信したデジタル放送信号から特定の周波数の信号を抽出する。チューナＴＮ１が抽出の対象とする周波数は、デジタル放送信号に含まれる複数のチャンネルのいずれかのチャンネルの周波数である。チューナＴＮ１は、抽出した特定の周波数の信号を制御部１００へ送信する。
【００４０】
制御部１００は、デコーダ１１０と、録画部１２０と、映像処理部１３０と、音声処理部１４０とを含む。
【００４１】
デコーダ１１０は、チューナＴＮ１から受信する信号を復調する。そして、デコーダ１１０は、復調した当該信号が示す放送コンテンツ（番組）から、当該放送コンテンツの映像および音声を取得する。デコーダ１１０は、取得した映像を映像処理部１３０へ送信し、取得した音声を音声処理部１４０へ送信する。
【００４２】
映像処理部１３０は、デコーダ１１０から受信した映像を、表示部ＤＰ１が表示するように、当該表示部ＤＰ１を制御する。音声処理部１４０は、デコーダ１１０から受信した音声を、音声出力部３０が出力するように、当該音声出力部３０を制御する。
【００４３】
なお、番組録画再生装置１０００は、動作モードとして、通常モードと、録画モードとを有する。通常モードは、映像コンテンツ（放送コンテンツ）の映像および音声を出力するためのモードである。録画モードは、番組である映像コンテンツ（放送コンテンツ）を録画するためのモードである。番組録画再生装置１０００の動作モードは、通常モードおよび録画モードの両方または一方が設定される。
【００４４】
例えば、ユーザーが、特定の時刻に当該番組録画再生装置１０００が番組の録画を開始するための操作Ｍを、番組録画再生装置１０００に対し行っていたとする。すなわち、番組の録画の予約が行われていたとする。この場合、当該特定の時刻に、番組録画再生装置１０００の動作モードは、録画モードになる。
【００４５】
番組録画再生装置１０００の動作モードが、録画モードである場合、デコーダ１１０は、放送コンテンツ（番組）を、録画部１２０へ送信する。
【００４６】
記憶部２０は、番組を記憶するための構成要素である。記憶部２０は、例えば、ＨＤＤである。記憶部２０は、１台のＨＤＤで構成される。なお、記憶部２０は、複数のＨＤＤにより構成されてもよい。
【００４７】
媒体アクセス部５０は、記録媒体５に番組を録画する機能を有する。媒体アクセス部５０は、例えば、ディスクドライブである。記録媒体５は、データを記録可能な媒体である。記録媒体５は、ユーザーが持ち運び可能な媒体である。記録媒体５は、例えば、ＢＤ等の光ディスクである。
【００４８】
なお、記録媒体５は、光ディスクに限定されず、例えば、メモリカードであってもよい。また、媒体アクセス部５０は、ディスクドライブに限定されず、例えば、メモリカードリーダーであってもよい。
【００４９】
媒体アクセス部５０は、当該媒体アクセス部５０に対し、記録媒体５が着脱自在なように構成される。以下においては、媒体アクセス部５０が、記録媒体５に対しアクセス可能なように、記録媒体５が媒体アクセス部５０に取付けられた状態を、「取付け状態」ともいう。また、以下においては、記録媒体５が媒体アクセス部５０に取付けられていない状態を、「非取付け状態」ともいう。
【００５０】
また、以下においては、記録媒体５が記録可能なデータの容量の最大値を、「最大記録容量」ともいう。また、媒体アクセス部５０は、記録媒体５の空き容量を検出する機能を有する。記録媒体５の空き容量とは、最大記録容量から、記録媒体５が記憶しているデータの容量を減算した容量である。
【００５１】
録画部１２０は、ＣＰＵ等のプロセッサにより実行されるプログラムのモジュールである。なお、録画部１２０は、専用のハードウェアで構成されてもよい。
【００５２】
録画部１２０は、情報取得部１２１と、情報解析部１２２と、情報判定部１２３と、空き容量特定部１２４と、番組容量特定部１２５と、圧縮部１２６とを含む。
【００５３】
情報取得部１２１、情報解析部１２２、情報判定部１２３、空き容量特定部１２４、番組容量特定部１２５および圧縮部１２６の各々は、ＣＰＵ等のプロセッサにより実行されるプログラムのモジュールである。なお、情報取得部１２１、情報解析部１２２、情報判定部１２３、空き容量特定部１２４、番組容量特定部１２５および圧縮部１２６の各々は、専用のハードウェアで構成されてもよい。
【００５４】
録画モードの番組録画再生装置１０００では、録画部１２０が、記憶部２０に番組を録画する録画処理を行う。なお、録画処理が開始される直前に、録画部１２０は、番組情報取得処理および情報解析処理を行う。
【００５５】
番組情報取得処理では、情報取得部１２１が、デコーダ１１０から受信した放送コンテンツ（番組）に含まれる、番組詳細情報を取得する。そして、情報取得部１２１は、取得した番組詳細情報の一部を使用して、前述の番組情報を生成する。なお、番組詳細情報に、文字列「最終」が存在する場合、情報取得部１２１は、前述の番組情報の「識別子」の欄に、文字列「最終」を追記する。
【００５６】
情報解析処理では、詳細は後述するが、情報解析部１２２が、番組情報の解析を行う。また、情報解析処理では、録画部１２０の情報判定部１２３は、番組情報の内容の判定を行う。当該判定結果によっては、後述のフォルダ生成処理が行われる場合もある。
【００５７】
以下においては、録画の対象となる番組を、「録画対象番組」ともいう。当該録画対象番組は、録画部１２０が、デコーダ１１０から受信する番組（放送コンテンツ）である。
【００５８】
録画処理では、録画部１２０が、録画対象番組である放送コンテンツを、記憶部２０に録画する。なお、録画対象番組の録画が終了した後、録画部１２０は、当該録画対象番組に対応する番組情報を、録画番組情報として、記憶部２０に記憶させる。
【００５９】
なお、録画処理が複数回行われることにより、記憶部２０には、複数の録画番組情報から構成される録画番組情報テーブルＲＴＢが記憶される。
【００６０】
図３は、録画番組情報テーブルＲＴＢの一例を示す図である。録画番組情報テーブルＲＴＢの行方向に並ぶ複数の情報により、１個の録画番組情報が構成される。
【００６１】
録画番組情報テーブルＲＴＢにおいて、「番号」とは、録画番組情報を識別するための番号である。なお、録画番組情報テーブルＲＴＢにおける他の項目は、図２で説明した項目と同じであるので詳細な説明は繰り返さない。
【００６２】
再び、図１を参照して、以下の条件Ｊ１が満たされる場合、空き容量特定部１２４は、後述の空き容量特定処理を行い、番組容量特定部１２５は、後述の番組容量特定処理を行う。条件Ｊ１は、媒体アクセス部５０の状態が取付け状態であり、かつ、番組情報が後述の情報を示すという条件である。
【００６３】
また、圧縮部１２６は、例えば、Ｈ．２６４等の規格に従った動画像圧縮処理により、番組を圧縮する機能を有する。圧縮部１２６は、空き容量特定処理および番組容量特定処理により得られる情報によっては、後述の圧縮処理を行う場合もある。
【００６４】
なお、番組録画再生装置１０００は、構成要素群２００を含まなくてもよい。構成要素群２００は、表示部ＤＰ１、音声出力部３０、映像処理部１３０および音声処理部１４０から構成される。すなわち、番組録画再生装置１０００は、表示部ＤＰ１、音声出力部３０を含まなくてもよい。また、制御部１００は、映像処理部１３０および音声処理部１４０を含まなくてもよい。
【００６５】
以下においては、シリーズ番組の順番を示す文字列を、「順番文字列」ともいう。順番文字列は、例えば、文字列「第ｍ話」、文字列「第ｍ回」等である。「第ｍ話」のｍは、任意の整数である。
【００６６】
また、以下においては、「順番文字列」が示す数字（ｍ）が１である場合におけるシリーズ番組を、「１番目シリーズ番組」ともいう。１番目シリーズ番組は、一連のｋ個のシリーズ番組のうち１番目のシリーズ番組である。１番目シリーズ番組は、例えば、図２において、番号“１”を示す番組情報に対応するシリーズ番組である。
【００６７】
以下においては、シリーズ番組に対応する番組情報が示すタイトルを構成する文字列のうち、順番文字列を除いた文字列を、「メインタイトル」ともいう。例えば、番組情報が示すタイトルを構成する文字列が、図２に示される「ＡＢＣＸ  第１話」である場合、メインタイトルは、「ＡＢＣＸ」である。
【００６８】
次に、録画モードの番組録画再生装置１０００が行う処理（以下、「録画対応処理」ともいう）について説明する。
【００６９】
ここで、以下の前提Ｐｒ１を考慮する。前提Ｐｒ１では、記憶部２０に、図３に示される、番号“１”，“２”にそれぞれ対応する２つの録画番組情報から構成される録画番組情報テーブルＲＴＢが、既に記憶されている。また、前提Ｐｒ１では、図２において、番号“１”を示す番組情報に対応するシリーズ番組（１番目シリーズ番組）が、一連のｋ個のシリーズ番組のうち、最初に録画の対象となるシリーズ番組である。
【００７０】
また、前提Ｐｒ１では、シリーズ番組のメインタイトルは、「ＡＢＣＸ」である。また、前提Ｐｒ１では、デコーダ１１０が、録画対象番組である放送コンテンツ（シリーズ番組）を、録画部１２０へ送信する。また、前提Ｐｒ１では、図２に示される、メインタイトルが「ＡＢＣＸ」である１０個のシリーズ番組の各々を録画するための録画処理が行われる。
【００７１】
前提Ｐｒ１における録画対応処理では、前述の番組情報取得処理および情報解析処理が行われる。前提Ｐｒ１における番組情報取得処理では、情報取得部１２１が、デコーダ１１０から受信した放送コンテンツ（シリーズ番組）に含まれる、番組詳細情報を取得する。そして、情報取得部１２１は、取得した番組詳細情報の一部を使用して、図２において、番号“１”を示す番組情報を生成する。
【００７２】
情報解析処理では、情報解析部１２２が、生成された番組情報の解析を行う。具体的には、情報解析部１２２が、番組情報が示す各項目（例、タイトル等）を読み取る。
【００７３】
また、番組情報が示すタイトルに順番文字列が含まれる場合、情報解析処理では、情報判定部１２３が、当該番組情報に対応する番組が、シリーズ番組であると判定する。
【００７４】
前提Ｐｒ１における情報解析処理において、情報解析部１２２が読み取ったタイトルは、順番文字列「第１話」を含む。そのため、前提Ｐｒ１における情報解析処理では、情報判定部１２３は、当該番組情報に対応する録画対象番組が、シリーズ番組および１番目シリーズ番組であると判定する。
【００７５】
これにより、録画部１２０が、１番目シリーズ番組を、記憶部２０に録画することがきまったことが、情報判定部１２３により判定される。１番目シリーズ番組は、記憶部２０に録画される新規のシリーズ番組である。
【００７６】
録画対象番組が１番目シリーズ番組であると判定された場合、録画部１２０は、フォルダ生成処理を行う。すなわち、録画部１２０が、１番目シリーズ番組を、記憶部２０に録画することがきまった場合、録画部１２０は、フォルダ生成処理を行う。
【００７７】
フォルダ生成処理では、録画部１２０が、記憶部２０内に、メインタイトルに関連付けられたフォルダを生成する。
【００７８】
以下においては、メインタイトルに関連付けられたフォルダを、「フォルダＦｓ」ともいう。フォルダＦｓは、当該フォルダＦｓに関連付けられたメインタイトルに対応する一連のｋ個のシリーズ番組の録画に使用するためのフォルダである。
【００７９】
前提Ｐｒ１におけるフォルダ生成処理では、録画部１２０が、記憶部２０内に、メインタイトル「ＡＢＣＸ」に関連付けたフォルダＦｓを生成する。
【００８０】
また、前提Ｐｒ１における録画処理では、録画部１２０が、メインタイトル「ＡＢＣＸ」が関連付けられたフォルダＦｓに、１番目シリーズ番組を録画する。そして、録画部１２０は、当該録画対象番組に対応する番組情報を、録画番組情報として、記憶部２０に記憶させる。
【００８１】
また、前提Ｐｒ１における録画処理では、録画部１２０が、図２の各番組情報が示す放送日および放送時刻において、当該番組情報に対応するシリーズ番組を、メインタイトル「ＡＢＣＸ」が関連付けられたフォルダＦｓに録画する。すなわち、録画部１２０は、生成されたフォルダＦｓに、一連のｋ個のシリーズ番組を、時間の経過に伴い、順次、録画する。当該ｋ個のシリーズ番組は、メインタイトルが「ＡＢＣＸ」である１０個のシリーズ番組である。
【００８２】
以上の前提Ｐｒ１における録画処理により、同じシリーズ番組を、１つのフォルダにまとめて管理することができる。
【００８３】
次に、以下の前提Ｐｒ２を考慮する。前提Ｐｒ２では、前提Ｐｒ１における録画処理がｎ（２以上の整数）回行われることにより、一連のｋ個のシリーズ番組が記憶部２０に録画される予定である。当該ｎは、ｋ以上の整数である。
【００８４】
また、前提Ｐｒ２では、当該ｋ個のシリーズ番組は、図２の１０個の番組情報にそれぞれ対応する１０個のシリーズ番組である。すなわち、当該ｋ個のシリーズ番組は、メインタイトルが「ＡＢＣＸ」である１０個のシリーズ番組である。
【００８５】
前提Ｐｒ２では、図３の録画番組情報テーブルＲＴＢから、番号“１２”に対応する録画番組情報のみを削除した録画番組情報テーブルＲＴＢが、記憶部２０に記憶されている。また、前提Ｐｒ２では、記憶部２０内に、メインタイトル「ＡＢＣＸ」が関連付けられたフォルダＦｓが生成されている。
【００８６】
また、前提Ｐｒ２では、前提Ｐｒ１における録画処理が（ｎ−１）回行われることにより、一連の（ｋ−１）個のシリーズ番組が記憶部２０内のフォルダＦｓに既に録画されている。また、前提Ｐｒ２では、図２において、番号“１０”を示す番組情報に対応するシリーズ番組（最終シリーズ番組）が、録画の対象となる番組である。また、前提Ｐｒ２では、デコーダ１１０が、録画対象番組である放送コンテンツ（最終シリーズ番組）を、録画部１２０へ送信する。
【００８７】
前提Ｐｒ２における録画対応処理では、前述の番組情報取得処理および情報解析処理が行われる。前提Ｐｒ２における番組情報取得処理では、情報取得部１２１が、デコーダ１１０から受信した放送コンテンツ（最終シリーズ番組）に含まれる、番組詳細情報を取得する。そして、情報取得部１２１は、取得した番組詳細情報の一部を使用して、図２において、番号“１０”を示す番組情報を生成する。
【００８８】
前提Ｐｒ２における情報解析処理では、情報解析部１２２が、番組情報が示す各項目（例、タイトル等）を読み取る。なお、前提Ｐｒ２では、情報解析部１２２が読み取ったタイトルが順番文字列「第１０話」を含む。そのため、前提Ｐｒ２における情報解析処理では、情報判定部１２３は、当該番組情報に対応する録画対象番組が、シリーズ番組であると判定する。
【００８９】
また、前提Ｐｒ２における情報解析処理では、情報解析部１２２が、文字列「最終」を読み取る。そのため、前提Ｐｒ２における情報解析処理では、情報判定部１２３が、当該番組情報に対応する録画対象番組が最終シリーズ番組であると判定する。
【００９０】
前提Ｐｒ２における録画処理では、録画部１２０が、録画対象番組である最終シリーズ番組を、メインタイトル「ＡＢＣＸ」が関連付けられたフォルダＦｓに録画する。そして、録画部１２０は、当該録画対象番組（最終シリーズ番組）に対応する番組情報を、録画番組情報として、記憶部２０に記憶させる。これにより、記憶部２０が記憶している録画番組情報テーブルＲＴＢは、図３の録画番組情報テーブルＲＴＢとなる。
【００９１】
また、媒体アクセス部５０の状態が前述の取付け状態であり、かつ、前述の情報解析処理により録画対象番組が最終シリーズ番組であると判定された場合、録画部１２０は、空き容量特定処理、番組容量特定処理およびダビング処理を行う。
【００９２】
なお、録画対象番組が最終シリーズ番組であるか否かの判定は、最終シリーズ番組に関する番組情報が、文字列「最終」を示すか否かにより行われる。すなわち、録画部１２０は、最終シリーズ番組に関する番組情報に基づいて、ダビング処理を行う。
【００９３】
また、空き容量特定処理、番組容量特定処理およびダビング処理は、一連のｋ個のシリーズ番組が記憶部２０に録画された場合に行われる。
【００９４】
ダビング処理は、録画部１２０が、媒体アクセス部５０を制御して、記憶部２０に録画されている一連のｋ個のシリーズ番組を記録媒体５にダビングする処理である。
【００９５】
空き容量特定処理では、空き容量特定部１２４が、媒体アクセス部５０が記録媒体５の空き容量を検出するように、当該媒体アクセス部５０を制御する。媒体アクセス部５０は、検出した空き容量を、空き容量特定部１２４へ通知する。これにより、空き容量特定部１２４は、空き容量を特定する。以下においては、空き容量特定処理において特定される空き容量を、「空き容量Ｎｃｐ」ともいう。
【００９６】
番組容量特定処理では、番組容量特定部１２５が、記憶部２０内のフォルダＦｓに録画されている一連のｋ個のシリーズ番組の総容量を特定する。以下においては、番組容量特定処理により特定される総容量を、「総容量Ｐｃｐ」ともいう。
【００９７】
前提Ｐｒ２における番組容量特定処理では、番組容量特定部１２５が、メインタイトルが「ＡＢＣＸ」であるｋ（１０）個のシリーズ番組の総容量Ｐｃｐを特定する。
【００９８】
ここで、総容量Ｐｃｐは、空き容量Ｎｃｐ未満であると仮定する。この場合、ダビング処理では、媒体アクセス部５０が、記憶部２０に録画されている一連のｋ（１０）個のシリーズ番組を記録媒体５に録画するように、録画部１２０が当該媒体アクセス部５０を制御する。これにより、記録媒体５に一連のｋ個のシリーズ番組が録画（ダビング）される。
【００９９】
次に、ｋ個のシリーズ番組の総容量Ｐｃｐが、空き容量Ｎｃｐより大きいと仮定する。総容量Ｐｃｐが空き容量Ｎｃｐより大きい場合、ダビング処理が行われる前に、圧縮部１２６が圧縮処理を行う。
【０１００】
圧縮処理では、圧縮部１２６が、記憶部２０内のフォルダＦｓに録画されているｋ個のシリーズ番組の一部または全部を圧縮する。シリーズ番組を圧縮する処理は、例えば、Ｈ．２６４等の規格に従った動画像圧縮処理である。以下においては、圧縮処理により圧縮されたシリーズ番組を、「圧縮シリーズ番組」ともいう。
【０１０１】
なお、圧縮処理により、ｕ（１≦ｕ≦ｋを満たす整数）個の圧縮シリーズ番組が生成される。以下においては、ｕ個の圧縮シリーズ番組を含むｋ個のシリーズ番組の総容量を、「総容量Ｐｃｐａ」ともいう。また、以下においては、圧縮処理において圧縮を行う対象となるシリーズ番組を、「圧縮対象番組」ともいう。圧縮対象番組は、ｋ個のシリーズ番組の一部または全部である。
【０１０２】
ここで、一連の１０個のシリーズ番組のうち、４個のシリーズ番組が、圧縮対象番組であると仮定する。この場合、総容量Ｐｃｐａは、４個の圧縮シリーズ番組を含む１０個のシリーズ番組の総容量である。
【０１０３】
圧縮処理では、具体的には、圧縮部１２６が、総容量Ｐｃｐａが空き容量Ｎｃｐ未満となるように、記憶部２０に録画されているｋ個のシリーズ番組の一部または全部を圧縮する。
【０１０４】
なお、圧縮処理における圧縮率は、圧縮対象番組の数、総容量Ｐｃｐａ、空き容量Ｎｃｐ等により、適切な圧縮率が設定される。設定される圧縮率は、例えば、１／２０から１０／２０（１／２）の範囲のいずれかである。
【０１０５】
総容量Ｐｃｐが空き容量Ｎｃｐより大きい場合、圧縮処理の後、録画部１２０がダビング処理を行う。当該ダビング処理は、ｕ個の圧縮シリーズ番組を含むｋ個のシリーズ番組を、記録媒体５にダビングする処理である。
【０１０６】
ダビング処理では、具体的には、録画部１２０が、媒体アクセス部５０が、記憶部２０に録画されている、ｕ個の圧縮シリーズ番組を含むｋ個のシリーズ番組を記録媒体５に録画するように、当該媒体アクセス部５０を制御する。これにより、記録媒体５に一連のｋ個のシリーズ番組が録画（ダビング）される。したがって、総容量Ｐｃｐが空き容量Ｎｃｐより大きい場合でも、１つの記録媒体５に一連のｋ個のシリーズ番組をダビングすることができる。
【０１０７】
なお、圧縮処理およびダビング処理では、複数の記録媒体５に、ｕ個の圧縮シリーズ番組を含むｋ個のシリーズ番組をダビングするようにしてもよい。なお、ダビングの対象となる記録媒体５の数は、ユーザーにより設定されてもよい。
【０１０８】
また、最終シリーズ番組が録画された後、媒体アクセス部５０の状態が取付け状態でない場合がある。この場合、ユーザーが、手動でダビング操作を行ってもよい。当該ダビング操作は、例えば、任意のフォルダＦｓを選択するための操作と、フォルダＦｓに録画されているｋ個のシリーズ番組を記録媒体５にダビングするための操作とを含む。これにより、前述の圧縮処理およびダビング処理が行われる。
【０１０９】
以上説明したように、本実施の形態によれば、番組録画再生装置１０００は、録画処理がｎ回行われることにより、ｋ個のシリーズ番組が記憶部２０に録画された場合、当該ｋ個のシリーズ番組を記録媒体５にダビングするダビング処理を行う機能を有する。
【０１１０】
これにより、従来のように、ユーザーは、番組録画再生装置に対し、ｋ個のシリーズ番組を記録媒体にダビングするための操作を行う必要はない。したがって、ｋ個のシリーズ番組を記録媒体に迅速にダビングすることができる。
【０１１１】
また、本実施の形態によれば、録画部１２０は、一連のｋ個のシリーズ番組が記憶部２０に録画された場合、当該ｋ個のシリーズ番組を記録媒体５にダビングするダビング処理を行う。すなわち、一連のｋ個のシリーズ番組の全てを、一括して、記録媒体５にダビングすることができる。すなわち、シリーズ番組のダビング時における、ユーザーにとって煩わしい作業を軽減することができる。当該煩わしい作業は、例えば、番組録画再生装置１０００に対し、ｋ個のシリーズ番組を記録媒体５にダビングするための操作Ｍを行うという作業である。
【０１１２】
なお、ダビング処理は、媒体アクセス部５０の状態が取付け状態である場合にのみ行われる。これにより、最終シリーズ番組が録画された後に、ユーザーは、番組録画再生装置１０００の媒体アクセス部５０に対し、記録媒体５を装着するという煩わしい作業を行う必要はない。
【０１１３】
また、本実施の形態によれば、圧縮部１２６は、ｋ個のシリーズ番組の総容量Ｐｃｐが、記録媒体５の空き容量Ｎｃｐより大きい場合、ｋ個のシリーズ番組の一部または全部を圧縮する圧縮処理を行う。したがって、総容量Ｐｃｐが空き容量Ｎｃｐより大きい場合でも、１つの記録媒体５に一連のｋ個のシリーズ番組をダビングすることができる。
【０１１４】
また、本実施の形態によれば、圧縮処理が行われることにより、ユーザーが所望する数の記録媒体５に、一連のｋ個のシリーズ番組をダビングすることができる。
【０１１５】
また、本実施の形態によれば、番組録画再生装置１０００において、ダビング対象である最終シリーズ番組が録画される前のタイミングにのみ、ユーザーは、記録媒体５を媒体アクセス部５０に取付ければよい。そのため、シリーズ番組のダビングにおける煩わしい作業を軽減することができる。
【０１１６】
なお、ユーザーは、番組録画再生装置１０００において自動でダビングが行われる機能を利用しない場合がある。この場合、ユーザーは、番組録画再生装置１０００において最終シリーズ番組が録画（放送）された後に、最終シリーズ番組を含む一連のｋ個のシリーズ番組のダビングを行うための操作Ｍを、番組録画再生装置１０００に対し行うことも想定される。
【０１１７】
なお、本実施の形態では、録画部１２０が、ｋ個のシリーズ番組のうちの１番目シリーズ番組を、記憶部２０に録画することがきまった場合、録画部１２０は、フォルダＦｓを生成するフォルダ生成処理を行う。そして、録画部１２０は、フォルダＦｓに、一連のｋ個のシリーズ番組を、時間の経過に伴い、順次、録画する。したがって、同じシリーズ番組を、１つのフォルダにまとめて管理することができる。
【０１１８】
これにより、番組録画再生装置１０００において、最終シリーズ番組が録画（放送）された後に、ユーザーが手動でシリーズ番組のダビングを行うことを望む場合においても、フォルダＦｓに録画された一連のｋ個のシリーズ番組の全てを容易に見つけることができる。
【０１１９】
なお、ユーザーが、番組録画再生装置において、異なる複数種類のシリーズ番組を予約録画している場合がある。この場合、ユーザーが所望するシリーズ番組をダビングするためには、当該シリーズ番組が録画される毎に、ユーザーが所望する記録媒体を、媒体アクセス部５０に取付ける必要がある。このような煩わしい作業が発生するという問題は、関連技術Ａでは解決できない。
【０１２０】
そこで、本実施の形態の番組録画再生装置１０００は上記のように構成される。そのため、当該番組録画再生装置１０００は、上記の問題を解決することができる。
【０１２１】
（機能ブロック図）
以下においては、番組録画再生装置１０００の有する機能のうち、本発明に関わる主要な機能を示す当該番組録画再生装置１０００を、「番組録画再生装置ＢＬ１０」ともいう。番組録画再生装置ＢＬ１０は、番組録画再生装置１０００における特徴的な機能構成のみを示す。
【０１２２】
図４は、特徴的な機能構成を示す番組録画再生装置ＢＬ１０のブロック図である。組録画再生装置ＢＬ１０は、番組を記憶するための記憶部ＢＬ１に当該番組を録画する機能と、記録媒体ＢＬ３に当該番組をダビングする機能とを有する。記憶部ＢＬ１は、記憶部２０に相当する。記録媒体ＢＬ３は、記録媒体５に相当する。
【０１２３】
番組録画再生装置ＢＬ１０は、記憶部ＢＬ１に番組を録画する録画処理を行う録画部ＢＬ２を備える。録画部ＢＬ２は、録画部１２０に相当する。
【０１２４】
番組録画再生装置ＢＬ１０は、録画処理がｎ（２以上の整数）回行われることにより、一連のｋ（２≦ｋ≦ｎを満たす整数）個のストーリーをそれぞれ示すｋ個の番組であるシリーズ番組が記憶部ＢＬ１に録画された場合、当該ｋ個のシリーズ番組を記録媒体ＢＬ３にダビングするダビング処理を行う機能を有する。
【０１２５】
（その他の変形例）
以上、本発明に係る番組録画再生装置について、実施の形態に基づいて説明したが、本発明は、当該実施の形態に限定されるものではない。本発明の主旨を逸脱しない範囲内で、当業者が思いつく変形を実施の形態に施したものも、本発明に含まれる。つまり、本発明は、その発明の範囲内において、実施の形態を適宜、変形、省略することが可能である。
【０１２６】
本発明に係る番組録画再生装置１０００は、図１で示される全ての構成要素を含まなくてもよい。すなわち、番組録画再生装置１０００は、本発明の効果を実現できる最小限の構成要素のみを含めばよい。例えば、番組録画再生装置１０００は、記憶部２０を備えない構成としてもよい。当該構成では、番組録画再生装置１０００に、記憶部２０が接続される。
【０１２７】
また、番組録画再生装置１０００に含まれる、録画部１２０の機能は、処理回路により実現されてもよい。すなわち、番組録画再生装置１０００は、処理回路を備える。当該処理回路は、前記記憶部に番組を録画する録画処理を行うための回路である。
【０１２８】
処理回路は、専用のハードウェアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０１２９】
以下においては、処理回路が専用のハードウェアである構成を、「構成Ｃｓ１」ともいう。また、以下においては、処理回路が、プロセッサである構成を、「構成Ｃｓ２」ともいう。また、以下においては、録画部１２０の機能を、ハードウェアとソフトウェアとの組み合わせにより実現する構成を、「構成Ｃｓ３」ともいう。
【０１３０】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。録画部１２０の機能は、１つの処理回路で実現されてもよい。
【０１３１】
なお、番組録画再生装置１０００に含まれる各構成要素の全てまたは一部を、ハードウェアで示した構成は、例えば、以下のようになる。以下においては、番組録画再生装置１０００に含まれる各構成要素の全てまたは一部を、ハードウェアで示した番組録画再生装置を、「番組録画再生装置ｈｄ１０」ともいう。
【０１３２】
図５は、番組録画再生装置ｈｄ１０のハードウェア構成図である。図５を参照して、番組録画再生装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。
【０１３３】
構成Ｃｓ２では、処理回路は、プロセッサｈｄ１である。構成Ｃｓ２では、録画部１２０の機能は、ソフトウェア、ファームウェア、またはソフトウェアとファームウェアとの組み合わせにより実現される。ソフトウェアまたはファームウェアは、プログラムとして記述され、メモリｈｄ２に格納される。
【０１３４】
また、構成Ｃｓ２では、処理回路（プロセッサｈｄ１）が、メモリｈｄ２に記憶されたプログラムを読み出して、当該プログラムを実行することにより、録画部１２０の各々の機能は実現される。すなわち、メモリｈｄ２は、以下のプログラムを格納する。
【０１３５】
当該プログラムは、前記記憶部に番組を録画する録画処理を行うステップを、処理回路（プロセッサｈｄ１）に実行させるためのプログラムである。
【０１３６】
また、当該プログラムは、録画部１２０が行う処理の手順、当該処理を実行する方法等をコンピュータに実行させるものでもある。
【０１３７】
構成Ｃｓ３では、録画部１２０の一部の機能は、専用のハードウェアで実現される。また、構成Ｃｓ３では、録画部１２０の別の一部の機能は、ソフトウェアまたはファームウェアで実現される。
【０１３８】
例えば、録画部１２０の一部の機能は、処理回路がメモリに格納されたプログラムを読み出して実行することによって実現される。また、例えば、録画部１２０の別の一部の機能は、専用のハードウェアとしての処理回路で実現される。
【０１３９】
以上の構成Ｃｓ１、構成Ｃｓ２および構成Ｃｓ３のように、処理回路は、ハードウェア、ソフトウェア、ファームウェア、またはこれらの組み合わせによって、上述の各機能を実現することができる。
【０１４０】
上記実施の形態で用いた全ての数値は、本発明を具体的に説明するための一例の数値である。すなわち、本発明は、上記実施の形態で用いた各数値に制限されない。
【０１４１】
なお、本発明は、その発明の範囲内において、実施の形態を適宜、変形、省略することが可能である。
【符号の説明】
【０１４２】
５，ＢＬ３  記録媒体、２０，ＢＬ１  記憶部、５０  媒体アクセス部、１００  制御部、１２０，ＢＬ２  録画部、１２６  圧縮部、１０００，ＢＬ１０，ｈｄ１０  番組録画再生装置。
【図１】
2017103572.tif 000003
【図２】
2017103572.tif 000004
【図３】
2017103572.tif 000005
【図４】
2017103572.tif 000006
【図５】
2017103572.tif 000007